(57)【要約】【課題】オーディオデータ及びビデオデータを、異なる装置において適切に再生することができるようにする。【解決手段】外部参照ファイル３０１のすべてに対して、隠し状態の属性を指定することを、カメラ一体型の録画再生装置などの機器上で行って、外部参照ファイル３０１の管理を行うことにより、パーソナルコンピュータ（ＰＣ）１１６において、オーディオビジュアルストリームファイル３０２のみを選択できるようにしたので、他のシステムにオーディオビジュアルデータがコピー・移動が行われた場合も、データを正常に再生することが可能にする。【選択図】      図１
2005005810.tif 000002
【特許請求の範囲】
【請求項１】
記録メディアにおけるデータを管理するメディアデータ管理方法であって、
前記記録メディアは、ビデオデータ及びオーディオデータのうちの少なくとも何れか一方が記録された少なくとも１つ以上のデータファイルと、前記データファイルを少なくとも１つ以上参照するための外部参照ファイルとを具備し、
前記外部参照ファイルに対し、ファイルシステム上で隠し属性を指定することを特徴とするメディアデータ管理方法。
【請求項２】
前記記録メディアのフォーマットをＵＤＦ（Ｕｎｉｖｅｒｓａｌ  Ｄｉｓｋ  Ｆｏｒｍａｔ）とし、前記外部参照ファイルのファイル・アイデンティファイア・ディスクリプタ（Ｆｉｌｅ  Ｉｄｅｎｔｉｆｉｅｒ  Ｄｅｓｃｒｉｐｔｏｒ）内に、前記隠し属性を指定するようにしたことを特徴とする請求項１に記載のメディアデータ管理方法。
【請求項３】
前記データファイルは、ＭＰＥＧ−２プログラムストリーム、あるいはＭＰＥＧ−２トランスポートストリームであることを特徴とする請求項１または２に記載のメディアデータ管理方法。
【請求項４】
前記外部参照ファイルをＱｕｉｃｋＴｉｍｅ形式でフォーマットするようにしたことを特徴とする請求項１〜３の何れか１項に記載のメディアデータ管理方法。
【請求項５】
前記外部参照ファイルに、前記データファイルのファイル参照名を記述し、
前記記録メディア内に記録された外部参照ファイルと、データファイルとを、第２の記録メディア内に複写あるいは移動を行う際に、前記外部参照ファイルに記述されたファイル参照名を、前記第２の記録メディアを搭載したシステム上で参照可能な参照名に置き換えることを特徴とする請求項１〜４の何れか１項に記載のメディアデータ管理方法。
【請求項６】
前記記録メディア内に記録された外部参照ファイルを、第２の記録メディア内に複写あるいは移動を行う際に、前記外部参照ファイルに記述されたデータファイルの再生手順および編集記録データを、前記第２の記録メディアを搭載したシステムで再生することが可能なフォーマットに変換することを特徴とする請求項１〜５の何れか１項に記載のメディアデータ管理方法。
【請求項７】
前記外部参照ファイルに、前記記録メディアのボリュームＩＤ情報を記述し、
前記記録メディア内に記録された外部参照ファイルと、データファイルとを、第２の記録メディア内に複写あるいは移動を行う際に、前記記録メディアのボリュームＩＤ情報を、前記第２の記録メディアを搭載したシステム上でのディレクトリ名に対応させるようにしたことを特徴とする請求項１〜６の何れか１項に記載のメディアデータ管理方法。
【請求項８】
前記データファイルと前記外部参照ファイルとを、前記記録メディアに書き込むことと、前記外部参照ファイルのファイル属性を前記隠し属性として指定し記録することとを、録画時に行うことを特徴とする請求項１〜７の何れか１項に記載のメディアデータ管理方法。
【請求項９】
前記隠し属性が指定されている外部参照ファイルにおいても可視化表示を施し、
前記外部参照ファイルをユーザに選択させて、前記データファイルによる再生動作を起動するようにしたことを特徴とする請求項１〜８の何れか１項に記載のメディアデータ管理方法。
【請求項１０】
記録メディアに対して録画を行うディスク録画装置であって、
前記記録メディアに対し、ビデオデータ及びオーディオデータのうちの少なくとも何れか一方が記録された少なくとも１つ以上のデータファイルと、前記データファイルを少なくとも１つ以上参照するための外部参照ファイルとを格納する格納手段を有し、
前記格納手段は、前記外部参照ファイルに対し、隠し属性を指定することを特徴とするディスク録画装置。
【請求項１１】
ビデオデータ及びオーディオデータのうちの少なくとも何れか一方が記録された少なくとも１つ以上のデータファイルと、前記データファイルを少なくとも１つ以上参照するための外部参照ファイルとを取得するファイル取得手段と、
前記ファイル取得手段により取得されたデータファイルを再生するデータ再生手段とを有するディスク再生装置であって、
前記外部参照ファイルの属性として、隠し属性が指定されていることを特徴とするディスク再生装置。
【請求項１２】
前記外部参照ファイルは、前記データファイルのファイル参照名が記述され、
前記ファイル取得手段は、前記記録メディア内に記録された外部参照ファイルと、データファイルとを取得する際に、前記外部参照ファイルに記述されたファイル参照名を、前記第２の記録メディアを搭載したシステム上で参照可能な参照名に置き換えることを特徴とする請求項１１に記載のディスク再生装置。
【請求項１３】
前記ファイル取得手段は、前記記録メディア内に記録された外部参照ファイルを取得する際に、前記外部参照ファイルに記述されたデータファイルの再生手順および編集記録データを、前記データ再生手段で再生動作を行うことができるフォーマットに変換することを特徴とする請求項１１または１２に記載のディスク再生装置。
【請求項１４】
前記外部参照ファイルには、前記記録メディアのボリュームＩＤ情報が記述され、
前記ファイル取得手段は、前記記録メディア内に記録された外部参照ファイルと、データファイルとを取得する際に、前記記録メディアのボリュームＩＤ情報を、自身のディレクトリ名に対応させるようにしたことを特徴とする請求項１１〜１３の何れか１項に記載のディスク再生装置。
【請求項１５】
前記隠し属性が指定されている外部参照ファイルに対して可視化表示を施す外部参照ファイル可視化手段を有し、
前記データ再生手段は、前記外部参照ファイル可視化手段により可視化された外部参照ファイルの中からユーザにより選択された外部参照ファイルに対応するデータファイル内のデータを再生することを特徴とする請求項１１〜１４の何れか１項に記載のディスク再生装置。
【請求項１６】
前記請求項１０に記載のディスク録画装置と、前記請求項１１〜１５の何れか１項に記載のディスク再生装置とを有することを特徴とするメディアデータ管理システム。
【請求項１７】
ビデオデータ及びオーディオデータのうちの少なくとも何れか一方が記録された少なくとも１つ以上のデータファイルと、前記データファイルを少なくとも１つ以上参照するための外部参照ファイルとを具備する記録メディアにおけるデータを管理することをコンピュータに実行させるためのコンピュータプログラムであって、
前記外部参照ファイルに対し、ファイルシステム上で隠し属性を指定することをコンピュータに実行させることを特徴とするコンピュータプログラム。
【請求項１８】
前記外部参照ファイルに、前記データファイルのファイル参照名を記述し、
前記記録メディア内に記録された外部参照ファイルと、データファイルとを、第２の記録メディア内に複写あるいは移動を行う際に、前記外部参照ファイルに記述されたファイル参照名を、前記第２の記録メディアを搭載したシステム上で参照可能な参照名に置き換えて複写あるいは移動を行うことをコンピュータに実行させることを特徴とする請求項１７に記載のコンピュータプログラム。
【請求項１９】
前記記録メディア内に記録された外部参照ファイルを、第２の記録メディア内に複写あるいは移動を行う際に、前記外部参照ファイルに記述されたデータファイルの再生手順および編集記録データを、前記第２の記録メディアを搭載したシステムで再生することが可能なフォーマットに変換することをコンピュータに実行させることを特徴とする請求項１７または１８に記載のコンピュータプログラム。
【請求項２０】
前記外部参照ファイルに、前記記録メディアのボリュームＩＤ情報を記述し、
前記記録メディア内に記録された外部参照ファイルと、データファイルとを、第２の記録メディア内に複写あるいは移動を行う際に、前記記録メディアのボリュームＩＤ情報を、前記第２の記録メディアを搭載したシステム上でのディレクトリ名に対応させるようにすることをコンピュータに実行させることを特徴とする請求項１７〜１９の何れか１項に記載のコンピュータプログラム。
【請求項２１】
前記データファイルと前記外部参照ファイルとを、前記記録メディアに書き込むことと、前記外部参照ファイルのファイル属性を前記隠し属性として指定し記録することとを、録画時に行うことをコンピュータに実行させることを特徴とする請求項１７〜２０の何れか１項に記載のコンピュータプログラム。
【請求項２２】
前記隠し属性が指定されている外部参照ファイルにおいても可視化表示を施し、
前記外部参照ファイルをユーザに選択させて、前記データファイルによる再生動作を起動するようにすることをコンピュータに実行させることを特徴とする請求項１７〜２１の何れか１項に記載のコンピュータプログラム。
【請求項２３】
前記請求項１７〜２２の何れか１項に記載のコンピュータプログラムを記録したことを特徴とするコンピュータ読み取り可能な記録媒体。
【発明の詳細な説明】
【０００１】
【発明の属する技術分野】
本発明は、メディアデータ管理方法、ディスク録画装置、ディスク再生装置、メディアデータ管理システム、コンピュータプログラム及びコンピュータ読み取り可能な記録媒体に関し、記録メディアに記録されているファイルをコピーまたは移動するために用いて好適なものである。
【０００２】
【従来の技術】
現在、デジタルスチルカメラで用いられるメモリカードや、デジタルディスクレコーダで用いられる光磁気ディスクなどのデータ記録媒体の容量は、飛躍的に増大している。したがって、動画、音声、静止画など多岐に渡るコンテンツを前記のようなデータ記録媒体に記録することが可能である。
【０００３】
図９に、カメラ一体型であるデジタルディスク録画再生装置の構成の一例を示す。
まず、撮影時の構成について説明する。
９０１は、ビデオ入力装置であり、ビデオ画像の入力を行う。９０２はオーディオ入力装置であり、一般的にマイクロフォンが使用される。９０３はビデオエンコーダであり、入力ビデオ画像の符号化を行う。９０６はオーディオエンコーダであり、入力オーディオデータの符号化を行う。９０７はマルチプレクサであり、符号化されたビデオ・オーディオデータ（ビデオデータ及びオーディオデータ）の多重化と同期制御を行う。
【０００４】
９０９はディスクコントローラであり、ディスクメディア９１２の読み書きおよびフォーマットの制御を行う。９１２はディスクメディアであり、符号化済みのビデオ・オーディオデータを蓄積する。９１０は制御ユニットであり、システム全体の制御を行う。９１３は表示装置であり、装置の状態やモード、入力ビデオデータなどの表示を行う。なお、表示装置は複数具備することもある。以上で撮影機能が構成される。
【０００５】
次に、再生時の構成について記載する。
９１１はショックプルーフメモリであり、ディスクメディア９１２から読み出されたデータを一時的に保存し、振動や衝撃によりディスクメディア９１２がアクセス不能になっている期間も読み出しデータを連続して供給できるようにしている。また、このショックプルーフメモリ９１１は、録画時には、振動によりディスクメディア９１２への書き込みができない場合のバッファとして使われることもある。
【０００６】
９０８はデマルチプレクサであり、符号化されたビデオ・オーディオデータの逆多重化と再生同期制御を行う。９０４はビデオデコーダであり、符号化されたビデオデータの復号処理を行う。９０６はオーディオデコーダであり、符号化されたオーディオデータの復号処理を行う。復号処理されたビデオデータは表示装置９１３上に再生される。９１４はスピーカ装置であり、復号処理されたオーディオデータの再生を行う。再生時の全体制御や、ユーザからの各種機能要求への対応は、録画時と同じく制御ユニット９１０で行う（このようなデジタルディスク録画再生装置としては、例えば、特許文献１参照。）。
【０００７】
このような装置（デジタルディスク録画再生装置）においては、ビデオ・オーディオデータの符号化処理や復号化処理を共通ユニットで処理することが多い。また、マルチプレクサ・デマルチプレクサも共通ユニットで処理することが多い。
【０００８】
ビデオ・オーディオデータの符号化方式としては、ＭＰＥＧ（Ｍｏｖｉｎｇ  Ｐｉｃｔｕｒｅ  Ｅｘｐｅｒｔ  Ｇｒｏｕｐ）で定められた国際標準の符号化フォーマットが利用されることが多い。前記符号化フォーマットは、具体的に、ＭＰＥＧ−１、ＭＰＥＧ−２、ＭＰＥＧ−４などである。
【０００９】
これらＭＰＥＧ−１、ＭＰＥＧ−２、ＭＰＥＧ−４などの符号化フォーマットは、各メディアの圧縮方式とシンタックスを定義しているだけであり、このままでは各々のアプリケーションとしては扱いにくい場合もある。このため、より扱いやすいコンテナフォーマットが採用されることが多い。
【００１０】
具体的なコンテナフォーマットとしては、ＱｕｉｃｋＴｉｍｅ、ＭＰ４、ＡＶＩフォーマットなどが一般的である。コンテナフォーマットでは、一般的に、ＭＰＥＧに限定しない複数のオーディオ・ビデオ符号化方式をサポートしている。再生アプリケーションにおいては、ファイル内に設置された符号化方式識別子を検出することにより、内蔵された各デコーダを切り替えてデコード処理を行うことが特徴である。
【００１１】
また、コンテナフォーマットでは、図７に示すごとく、内蔵型と、外部参照型とが存在する。前記内蔵型は、すべてのメディアデータや属性データを１つのファイル７０１として内蔵化する方法である。また、前記外部参照型は、メディアデータ自体は別ファイル７０２として独立させ、その属性や編集情報などは別ファイル７０３として生成し、メディアデータを外部参照する２つの方法である。
【００１２】
前者の内蔵型では、実際に、オーディオビジュアルストリーム領域７０１ａと、それの属性を指定する領域７０１ｂに分割される。後者の外部参照型では、オーディオビジュアルストリームデータは、外部ファイル７０２に設置され、コンテナファイル７０３内には、外部ファイル７０２の参照指定領域７０３ａと、属性指定領域７０３ｂとが設置される。
【００１３】
具体的に参照指定領域７０３ａには、オーディオビジュアルストリームデータが存在している外部ファイル７０２のファイルパスが指定されている。このファイルパスには、ディスクメディア９１２のシリアルナンバー（ボリュームＩＤ）が付加されることもある。
【００１４】
属性指定領域７０３ｂには、撮影日時などの環境データとともに、オーディオビジュアル再生において、データストリームに対してランダムアクセス再生をより効率よく行うためのファイルオフセットデータが設置されることも多い。なお、前記ファイルオフセットデータとは、フレーム数あるいは時間と、ファイルポインタの位置との関係を示したデータである。
【００１５】
一方、ディスクメディア９１２のフォーマットとしては、ＯＳＴＡ（Ｏｐｔｉｃａｌ  Ｓｔｏｒａｇｅ  Ｔｒａｄｉｎｇ  Ａｓｓｏｃｉａｔｉｏｎ）により定義されたＵＤＦ（Ｕｎｉｖｅｒｓａｌ  Ｄｉｓｋ  Ｆｏｒｍａｔ）が、ＣＤ−ＲやＤＶＤ−Ｒメディアなど記録可能なメディアにおいてすでに広範に採用されている。これにより、機器やオペレーティングシステムに依存しないディスクアクセスを可能にしている。このＵＤＦでは、ディスクメディア９１２のボリューム属性やファイル属性を定義するために、ディスクリプタと呼ばれる機能を用いている。
【００１６】
ディスクリプタは多岐にわたるが、図８にその一例を示す。図８に示す例では、ディスクリプタ８００は、ファイルエントリの定義であり、属性として、作成・変更日時、記録フォーマット、ファイル保護属性などを記述することが可能になっている。
【００１７】
【特許文献１】
特開２００２−３１４９１６号公報
【００１８】
【発明が解決しようとする課題】
しかしながら、前述した従来の方式では以下のような問題点があった。
ＵＤＦ準拠のディスクメディアは、機器およびオペレーティングシステムに非依存であり、色々なシステム上に直接マウントすることが可能である。このとき、特定のオペレーティングシステムやアプリケーションでサポートされていないオーディオビジュアル規格である場合、データを再生できないことがある。
【００１９】
ＱｕｉｃｋＴｉｍｅなどのコンテナフォーマットを用いた場合は、そのコンテナがサポートしているビデオ・オーディオコーデックに限定がある。このため、ディスク録画再生装置上では再生可能でも、パーソナルコンピュータ（ＰＣ）へコピーした場合には、オーディオビジュアルデータを再生できないことがある。
【００２０】
また、外部参照型のフォーマットを用いると、ファイルをコピーあるいは移動した後に参照先のファイルパスが異なってしまい、オーディオビジュアルデータを正常に再生できないことがある。
【００２１】
本発明は、前述の問題点に鑑みてなされたものであり、オーディオデータ及びビデオデータを、異なる装置において適切に再生することができるようにすることを目的とする。
【００２２】
【課題を解決するための手段】
本発明のメディアデータ管理方法は、記録メディアにおけるデータを管理するデータ管理方法であって、前記記録メディアは、ビデオデータ及びオーディオデータのうちの少なくとも何れか一方が記録された少なくとも１つ以上のデータファイルと、前記データファイルを少なくとも１つ以上参照するための外部参照ファイルとを具備し、前記外部参照ファイルに対し、ファイルシステム上で隠し属性を指定することを特徴としている。
【００２３】
本発明のディスク録画装置は、記録メディアに対して録画を行うディスク録画装置であって、前記記録メディアに対し、ビデオデータ及びオーディオデータのうちの少なくとも何れか一方が記録された少なくとも１つ以上のデータファイルと、前記データファイルを少なくとも１つ以上参照するための外部参照ファイルとを格納する格納手段を有し、前記格納手段は、前記外部参照ファイルに対し、隠し属性を指定することを特徴としている。
【００２４】
本発明のディスク再生装置は、ビデオデータ及びオーディオデータのうちの少なくとも何れか一方が記録された少なくとも１つ以上のデータファイルと、前記データファイルを少なくとも１つ以上参照するための外部参照ファイルとを取得するファイル取得手段と、前記ファイル取得手段により取得されたデータファイルを再生するデータ再生手段とを有するディスク再生装置であって、前記外部参照ファイルの属性として、隠し属性が指定されていることを特徴としている。
【００２５】
本発明のデータ管理システムは、前記記載のディスク録画装置と、前記何れかに記載のディスク再生装置とを有することを特徴としている。
【００２６】
本発明のコンピュータプログラムは、ビデオデータ及びオーディオデータのうちの少なくとも何れか一方が記録された少なくとも１つ以上のデータファイルと、前記データファイルを少なくとも１つ以上参照するための外部参照ファイルとを具備する記録メディアにおけるデータを管理することをコンピュータに実行させるためのコンピュータプログラムであって、前記外部参照ファイルに対し、ファイルシステム上で隠し属性を指定することをコンピュータに実行させることを特徴としている。
【００２７】
本発明のコンピュータ読み取り可能な記録媒体は、前記記載のコンピュータプログラムを記録したことを特徴としている。
【００２８】
【発明の実施の形態】
（第１の実施の形態）
次に、図面を参照しながら、本発明の第１の実施の形態について説明する。
図１に、本実施の形態に関わるデータ管理システムの構成の一例を示す。
【００２９】
図１のデータ管理システムは、ディスク録画再生装置、パーソナルコンピュータ１１６及びディスク装置１１７から構成される。ディスク録画再生装置において、撮影機能や、再生機能、物理的なディスク装置は、従来例である図９と同様である。したがって、図９と同一の部分については、図９と同一の符号を付して詳細な説明を省略する。
【００３０】
図１において、１１５は、外部参照ファイル制御装置であり、撮影して記録するファイルの属性や、外部参照ファイルの制御を行う。本実施の形態では、ＵＤＦフォーマットで定義されたディスクリプタの中で、図２で示されたファイル・アイデンティファイア・ディスクリプタ（Ｆｉｌｅ  Ｉｄｅｎｔｉｆｉｅｒ  Ｄｅｓｃｒｉｐｔｏｒ）に着目する。
【００３１】
このディスクリプタ２００中の８ビットパラメータ（Ｆｉｌｅ  Ｃｈａｒａｃｔｅｒｉｓｔｉｃｓ）のＬＳＢは、指定されたファイルが可視状態（”ｎｏｔ  ｈｉｄｄｅｎ”）か、あるいは隠し状態（”ｈｉｄｄｅｎ”）かのどちらかを示すフラグ情報である。ここで、前記隠し状態（不可視状態）とは、ファイルは存在するが、そのファイルをファイル一覧表示には含ませず、結果としてユーザからは選択不可能な状態を示す。
【００３２】
本実施の形態では、外部参照ファイルのすべてに対して、この８ビットパラメータ（Ｆｉｌｅ  Ｃｈａｒａｃｔｅｒｉｓｔｉｃｓ）のＬＳＢをセットし、隠し状態（”ｈｉｄｄｅｎ”）とする。通常、隠し状態（”ｈｉｄｄｅｎ”）属性（隠し属性）に設定した場合は、そのファイルは不可視になり、ユーザからは選択することが不可能な状態となる。ただし、本実施の形態では、この隠し状態（”ｈｉｄｄｅｎ”）を示すフラグを無視して通常に表示することとする。したがって、この状態においては、通常どおり外部参照ファイルを選択することによりオーディオビジュアルデータ（オーディオデータ及びビデオデータ）を再生することが可能である。
【００３３】
ここで、記録済みのディスクメディア９１２がなんらかの方法（例えばディスク装置１１７を介して）で他のシステム（一般的にパーソナルコンピュータ（ＰＣ）１１６など）にマウントされた場合を考える。
ＵＤＦフォーマットであれば、作成したすべてのファイルを記録時に一覧することが可能になる。ここで、ユーザとしては、コンテナフォーマットのファイルを確認することができれば（即ち、可視状態であれば）、それを再生しようと試みるのは必定である。
【００３４】
それにもかかわらず、参照先のデータが、このコンテナフォーマットをサポートする再生アプリケーションがサポートしていない符号化方式だった場合には、データを正常に再生することができない。
【００３５】
本実施の形態の手法を用いると、外部参照ファイルを隠し状態（”ｈｉｄｄｅｎ”）属性（不可視状態の属性）にすることによって、オペレーティングシステムが自動的に不可視操作を行うことになる。したがって、この隠し状態属性（不可視状態の属性）のファイルをユーザからは選択することができなくなる。
【００３６】
この状態であれば、ユーザが選択したものは、図３に示すごとく、外部参照ファイル３０１ではなく、オーディオビジュアルストリームファイル３０２そのものとなる。このオーディオビジュアルストリームファイル３０２は、コンテナフォーマットに限定を受けず、一般的に、ＭＰＥＧなどで定められた国際標準フォーマットそのものである。
【００３７】
このため、再生効果などの機能は限定されるものの、コンテナフォーマット再生アプリケーションと比し、より汎用性が高い。したがって、コンテナフォーマット再生アプリケーションでサポートされていない符号化方式が採用されていたとしても他のアプリケーションによって再生可能になる可能性を与えることになる。
【００３８】
具体的に、コンテナアプリケーションとしてＱｕｉｃｋＴｉｍｅを採用した場合を考える。この場合、従来では、オーディオ符号化方式としてＡＣ３コーデックが採用されていると、ＱｕｉｃｋＴｉｍｅ再生アプリケーションで、オーディオデータを再生することができない。
【００３９】
一方、本実施の形態では、オーディオビジュアルストリームファイル３０２が、ＭＰＥＧ−２  ＰＳ（Ｐｒｏｇｒａｍ  Ｓｔｒｅａｍ）形式になっていると仮定すれば、ＤＶＤを再生するのに特化した一般的なＰＣアプリケーションを使用することで、ビデオデータの符号化方式がＭＰＥＧ−２であり、オーディオデータの符号化方式がＡＣ３であったとしても、ともに問題なくデータを再生することが可能である。一般的に、このようなＰＣアプリケーションは、対応するディスクドライブと共に供給されるので、パーソナルコンピュータ（ＰＣ）１１６上で簡便に再生できないという問題点も解消することができ、ユーザに不快感をあたえないようにすること（ユーザハラスメントを解消すること）が可能になる。
【００４０】
以上のように本実施の形態では、外部参照ファイル３０１のすべてに対して、隠し状態の属性を指定することを、ディスク録画再生装置などの機器上で行って、外部参照ファイル３０１の管理を行うことにより、パーソナルコンピュータ（ＰＣ）１１６において、オーディオビジュアルストリームファイル３０２のみを選択できるようにしたので、他のシステムにオーディオビジュアルデータがコピー・移動が行われた場合も、データを正常に再生することが可能になる。これにより、外部参照型コンテナフォーマット形式を用いたマルチメディアデータに対して、カメラ一体型記録再生装置などの撮像装置と、パーソナルコンピュータ（ＰＣ）１１６との間で、簡便な連携をとることが可能になる。
【００４１】
（第２の実施の形態）
次に、本発明の第２の実施の形態について説明する。なお、以下の説明において、前述した第１の実施の形態と同一の部分については、図１〜図３に付した符号と同一の符号を付して詳細な説明を省略する。
【００４２】
図４に、本実施の形態に関わるデータ管理システムの構成の一例を示す。
本実施の形態においては、記録されたディスクメディア９１２を直接パーソナルコンピュータ（ＰＣ）１１６などにマウントするのではなく、インターフェース４２０を介してパーソナルコンピュータ１１６とディスク録画再生装置とを接続している。なお、インターフェース４２０はどのようなものであってもよい。
【００４３】
図４において、４１９は、パーソナルコンピュータ（ＰＣ）１１６上で動作するディスクファイル管理アプリケーションであり、４１８は、パーソナルコンピュータ（ＰＣ）１１６をディスク録画再生装置に接続するためのＰＣインターフェースである。
【００４４】
なお、本実施の形態では、このＰＣインターフェース４１８の様態については限定しないが、少なくともパーソナルコンピュータ（ＰＣ）１１６上のオペレーティングシステムが認識可能なボリュームとしてはマウントされていないか、あるいは、ＰＣインターフェース４１８を通してリモートマウントされているディスクメディア９１２に記録されているファイルを、専用のディスク管理アプリケーション４１９を介して一覧表示する点が特徴である。
【００４５】
図５に、本実施の形態のディスク管理アプリケーションにおける動作の一例を示す。
記録済みのディスクメディア９１２を認識した後（ステップＳ５０２）、ディスクメディア９１２内の外部参照ファイル３０１の一覧を表示する。（ステップＳ５０３）。このとき、第１の実施の形態で説明した隠し状態（”ｈｉｄｄｅｎ”）を示すフラグがセットされていたとしても、そのフラグがセットされている外部参照ファイル３０１の表示を行う。
【００４６】
次に、ユーザによって外部参照ファイル３０１が選択され（ステップＳ５０４）、パーソナルコンピュータ（ＰＣ）１１６上へコピーする指示がなされる。次に、外部参照ファイル３０１を取得した後に、その外部参照ファイル３０１を解析し（ステップＳ５０５）、参照先のオーディオビジュアルストリームファイル３０２のファイルパスを確認する。この場合、絶対パスであった場合には、そのままコピーを行うとコピー先のドライブ（ハードディスクなど）にて正常に参照されなくなるので、コピー後の、外部参照ファイル３０１ならびにオーディオビジュアルストリームファイル３０２の設置場所を考慮して相対パスに置き換えた外部参照ファイル３０１を生成する（ステップＳ５０６）。
【００４７】
次に、オーディオビジュアルストリームファイル３０２のコピー操作を開始する（ステップＳ５０７）。
このとき、パーソナルコンピュータ（ＰＣ）１１６で再生することが可能なコーデックが採用されているかどうかを判定する（ステップＳ５０８）。そして、採用されていない場合には、必要に応じて、フォーマット変換を行い（ステップＳ５０９）、変換済みのオーディオビジュアルストリームファイル５０２を設置する（ステップＳ５１０）。
【００４８】
一方、パーソナルコンピュータ（ＰＣ）１１６で再生することが可能なコーデックが採用されている場合には、オリジナルのオーディオビジュアルストリームファイル３０２を設置する（ステップＳ５１１）。
【００４９】
オリジナルのディスクメディア９１２内のファイルパスの具体例を図６に示す。
図６において、１つの記録ファイルが１つのディレクトリに対応している（１記録ファイル＝１ディレクトリとなっている）ものとする。
【００５０】
ファイル（Ｖｉｄｅｏ００１．ｍ２ｐｓ〜Ｖｉｄｅｏ００３．ｍ２ｐｓ）６０１〜６０３は、オーディオビジュアルストリームファイルが、ＭＰＥＧ−２  ＰＳ形式で記録されている場合を想定している。
【００５１】
ファイル（Ｖｉｄｅｏ００１．ｔｈｍ  〜Ｖｉｄｅｏ００３．ｔｈｍ）６０４〜６０６は、それぞれサムネール画像になっているが、必ずしもサムネール画像であることが必要なものではない。ファイル（Ｒｅｆ００１．ｒｅｆ〜Ｒｅｆ００３．ｒｅｆ）６０７〜６０９は、外部参照ファイルであり、それぞれ、ファイル（Ｖｉｄｅｏ００１．ｍ２ｐｓ〜Ｖｉｄｅｏ００３．ｍ２ｐｓ）６０１〜６０３を参照しているものである。
【００５２】
ここで、ファイル（Ｖｉｄｅｏ００２．ｍ２ｐｓ）６０２および外部参照ファイル６０８のファイルパスは、ボリュームＩＤも含むものとすると、以下のようになる。
【００５３】
ＶｏｌｕｍｅＩＤ／Ｖｉｄｅｏ／Ｖｉｄｅｏ００２／Ｖｉｄｅｏ００２．ｍ２ｐｓ
ＶｏｌｕｍｅＩＤ／Ｒｅｆｅｒｅｎｃｅ／Ｖｉｄｅｏ００２．ｒｅｆ
【００５４】
前記ボリュームＩＤ（ＶｏｌｕｍｅＩＤ）は、ディスクメディア９１２に固有のものであるので、コピー時には、これを以下のように置き換える。
【００５５】
．／ＶｏｌｕｍｅＩＤ／Ｖｉｄｅｏ／Ｖｉｄｅｏ００２／Ｖｉｄｅｏ００２．ｍ２ｐｓ
．／ＶｏｌｕｍｅＩＤ／Ｒｅｆｅｒｅｎｃｅ／Ｖｉｄｅｏ００２．ｒｅｆ
【００５６】
このような置き換えを行うことによって、正確な参照を行うことが可能になる。なお、置き換え後のボリュームＩＤ（ＶｏｌｕｍｅＩＤ）は、ディスクメディア９１２の物理的なＩＤを指定するものではなく、パーソナルコンピュータ（ＰＣ）１１６上のディスクに新たに生成したディレクトリ名となる。
【００５７】
なお、このディスク管理アプリケーション４１９のプログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【００５８】
（本発明の他の実施形態）
上述した各実施の形態におけるデータ管理システムによる制御動作は、図１０に示すようなコンピュータシステムを用いることにより実現することができる。
図１０は、データ管理システム（パーソナルコンピュータ１１６など）に配設されたコンピュータシステムの構成の一例を示したブロック図である。
図１０において、コンピュータシステム１０００は、ＣＰＵ１００１と、ＲＯＭ１００２と、ＲＡＭ１００３と、キーボード（ＫＢ）１００４のキーボードコントローラ（ＫＢＣ）１００５と、表示部としてのＣＲＴディスプレイ（ＣＲＴ）１００６のＣＲＴコントローラ（ＣＲＴＣ）１００７と、ハードディスク（ＨＤ）１００８及びフレキシブルディスク（ＦＤ）１００９のディスクコントローラ（ＤＫＣ）１０１０と、ネットワーク１０１１との接続のためのネットワークインターフェースコントローラ（ＮＩＣ）１０１２とが、システムバス２０３を介して互いに通信可能に接続された構成としている。
【００５９】
ＣＰＵ１００１は、ＲＯＭ１００２或いはＨＤ１００８に記憶されたソフトウェア、或いはＦＤ１００９より供給されるソフトウェアを実行することで、システムバス１００３に接続された各構成部を総括的に制御する。
すなわち、ＣＰＵ１００１は、所定の処理シーケンスに従った処理プログラムを、ＲＯＭ１００２、或いはＨＤ１００８、或いはＦＤ１００９から読み出して実行することで、後述する動作を実現するための制御を行う。
【００６０】
ＲＡＭ１００３は、ＣＰＵ１００１の主メモリ或いはワークエリア等として機能する。
ＫＢＣ１００５は、ＫＢ１００４や図示していないポインティングデバイス等からの指示入力を制御する。
【００６１】
ＣＲＴＣ１００７は、ＣＲＴ１００６の表示を制御する。
ＤＫＣ１０１０は、ブートプログラム、種々のアプリケーション、編集ファイル、ユーザファイル、ネットワーク管理プログラム、及び本実施の形態における所定の処理プログラム等を記憶するＨＤ１００８及びＦＤ１００９とのアクセスを制御する。
ＮＩＣ１０１２は、ネットワーク１０１１上の装置或いはシステムと双方向にデータをやりとりする。
【００６２】
また、前述した実施の形態の機能を実現するべく各種のデバイスを動作させるように、該各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６３】
また、この場合、前記ソフトウェアのプログラムコード自体が前述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６４】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して前述の実施の形態の機能が実現される場合にもかかるプログラムコードは本発明の実施の形態に含まれることは言うまでもない。
【００６５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれることは言うまでもない。
【００６６】
【発明の効果】
以上説明したように本発明によれば、ビデオデータ及びオーディオデータのうちの少なくとも何れか一方が記録された少なくとも１つ以上のデータファイルと、前記データファイルを少なくとも１つ以上参照するための外部参照ファイルとを具備する記録メディアにおける前記外部参照ファイルに対し、隠し属性を指定するようにしたので、前記記録メディアのファイルをコピーまたは移動した場合、コピー先または移動先において、前記データファイルのみを指定することができる。したがって、オーディオデータ及びビデオデータを、異なる装置において適切に再生することができる
【図面の簡単な説明】
【図１】本発明の第１の実施の形態を示し、データ管理システムの構成の一例を示したブロック図である。
【図２】本発明の第１の実施の形態を示し、ＵＤＦフォーマットのファイル・アイデンティファイア・ディスクリプタ（Ｆｉｌｅ  Ｉｄｅｎｔｉｆｉｅｒ  Ｄｅｓｃｒｉｐｔｏｒ）の内容の一例を示した図である。
【図３】本発明の第１の実施の形態を示し、再生するファイルを指定する際の概念を示した図である。
【図４】本発明の第２の実施の形態を示し、データ管理システムの構成の一例を示したブロック図である。
【図５】本発明の第２の実施の形態を示し、ディスク管理アプリケーションにおける動作の一例を説明するフローチャートである。
【図６】本発明の第２の実施の形態を示し、ディスクメディア上でのディレクトリ階層の一例を示した図である。
【図７】従来の技術を示し、内蔵型コンテナフォーマットファイルと、外部参照型コンテナフォーマットファイルを示した概念図である。
【図８】従来の技術を示し、ＵＤＦフォーマットでの記述様式を示した図である。
【図９】従来の技術を示し、デジタルディスク録画再生装置の構成の一例を示したブロック図である。
【図１０】本発明の他の実施の形態を示し、データ管理システムに配設されたコンピュータシステムの構成の一例を示したブロック図である。
【符号の説明】
９０１  ビデオ入力装置
９０２  マイクロフォン
９０３  ビデオエンコーダ
９０４  ビデオデコーダ
９０５  オーディオエンコーダ
９０６  オーディオデコーダ
９０７  マルチプレクサ
９０８  デマルチプレクサ
９０９  ディスクコントローラ
９１０  制御ユニット
９１１  ショックプルーフメモリ
９１２  ディスクメディア
９１３  表示装置
９１４  スピーカ
１１５  ファイル属性コントローラ
１１６  パーソナルコンピュータ
１１７  ディスク装置
４１８  ＰＣインターフェース
４１９  ディスク管理アプリケーション
４２０  インターフェース
【図１】
2005005810.tif 000003
【図２】
2005005810.tif 000004
【図３】
2005005810.tif 000005
【図４】
2005005810.tif 000006
【図５】
2005005810.tif 000007
【図６】
2005005810.tif 000008
【図７】
2005005810.tif 000009
【図８】
2005005810.tif 000010
【図９】
2005005810.tif 000011
【図１０】
2005005810.tif 000012